(57)【特許請求の範囲】
【請求項１】
耳糸供給用ボビンを保持すると共に、回転中心軸線から互いに逆方向に離れるように設けられた一対の糸ガイド孔を有する耳糸供給用回転体と、前記耳糸供給用回転体の一対の糸ガイド孔から供給される耳糸がそれぞれ挿通される回転中心軸線から互いに逆方向に離れるように設けられた一対の糸ガイド孔を有する耳糸開口用回転体とをそれぞれ一方向にのみ同期回転させる耳形成装置において、
前記耳糸供給用回転体側の一対の糸ガイド孔のうちの一方から前記耳糸開口用回転体側の一対の糸ガイド孔のうちの一方に至る第１の糸経路と、前記耳糸供給用回転体側の一対の糸ガイド孔のうちの他方から前記耳糸開口用回転体側の一対の糸ガイド孔のうちの他方に至る第２の糸経路とを備え、
前記第１及び第２の糸経路が前記耳糸開口用回転体を貫通するように前記耳糸開口用回転体の回転中心軸線上に配置される支軸内に設けられる織機における耳形成装置。
【請求項２】
前記耳糸供給用回転体の回転中心軸線と前記耳糸開口用回転体の回転中心軸線とは平行であり、前記耳糸供給用回転体及び前記耳糸開口用回転体の一対の糸ガイド孔は前記耳糸供給用回転体及び前記耳糸開口用回転体の支軸を支持する側板を挟んで両側に配置され、前記耳糸供給用回転体と前記耳糸開口用回転体とは互いに逆方向に回転する請求項１に記載の織機における耳形成装置。
【請求項３】
前記耳糸供給用回転体は歯車部を備えるとともに、前記耳糸供給用回転体の支軸の端部に止着されて前記歯車部と一体的に回転する耳糸供給用ガイド体を備え、前記耳糸開口用回転体は歯車部を備えるとともに、前記耳糸開口用回転体の支軸の端部に止着されて前記歯車部と一体的に回転する耳糸開口用ガイド体を備えており、前記耳糸供給用回転体の歯車部と前記耳糸開口用回転体の歯車部とは同形同大で互いに噛合する請求項２に記載の織機における耳形成装置。
【発明の詳細な説明】
【０００１】
【発明の属する技術分野】
本発明は、耳糸供給用ボビンを保持する耳糸供給用回転体と、耳糸の開口を形成する耳糸開口用回転体とをそれぞれ一方向にのみ同期回転させて耳糸を開閉口させる織機における耳形成装置に関するものである。
【０００２】
【従来の技術】
特開平３−９７９４４号公報に開示されるもじり耳形成装置では、固定された太陽歯車の同軸上に回転中心を持つ支持歯車の側面に一対の中継歯車及び一対の遊星歯車が回動可能に支持されている。中継歯車は太陽歯車及び遊星歯車の両方に噛合している。支持歯車の回転によって中継歯車が太陽歯車に噛合しながらその周囲を半周すると、遊星歯車は支持歯車上で逆方向へ１回転する。太陽歯車の周囲を公転する遊星歯車の軸にはボビンホルダが装着されており、ボビンホルダに支持されたもじり耳用のボビンの耳糸は糸張力によってボビンから引き出される。遊星歯車機構を用いた耳形成装置では部品点数が増え、構造が複雑になるという欠点がある。
【０００３】
遊星歯車機構を用いない耳形成装置が特開昭５６−５３２３４号公報に開示されている。耳糸開口用回転盤には一対のガイド孔が耳糸開口用回転盤の回転中心から同一の直径線方向に互いに離れた周辺部に形成されており、両ガイド孔に通された一対の耳糸が耳糸開口用回転盤の回転によって開閉口運動を行なう。前記一対の耳糸は耳糸供給ボビン保持用回転盤に搭載された一対のボビンから供給される。耳糸供給ボビン保持用回転盤には一対のガイド孔が耳糸供給ボビン保持用回転盤の回転中心から同一の直径線方向に互いに離れた周辺部に形成されている。両ボビンから繰り出される耳糸は、耳糸供給ボビン保持用回転盤側の一対のガイド孔を通されてから耳糸開口用回転盤側の一対のガイド孔に通される。耳糸供給ボビン保持用回転盤の回転中心線と耳糸開口用回転盤の回転中心線とは平行にしてあり、両回転盤は同一方向へ回転する。耳糸開口用回転盤のみが回転すると、耳糸供給ボビン保持用回転盤と耳糸開口用回転盤との間で一対の耳糸が捩れてしまう。そのため、耳糸供給ボビン保持用回転盤を耳糸開口用回転盤と同一方向へ回転させて前記捩れの発生防止が行われている。
【０００４】
【発明が解決しようとする課題】
特開昭５６−５３２３４号公報に開示される装置では、耳糸が回転盤の側面で交錯するために回転盤を中心軸でもって支持することができない。そのため、複数の回転ローラを回転盤の周面に接触させて回転盤を複数の回転ローラで支持する構成が採用されている。しかし、このような支持構成では、遊星歯車機構を用いた耳形成装置と比較しても部品点数を減らすことはできない。
【０００５】
本発明は、特開昭５６−５３２３４号公報に開示される装置のように耳糸供給用回転体及び耳糸開口用回転体を一方向にのみ同期回転させる耳形成装置における部品点数を減らすことを目的とする。
【０００６】
【課題を解決するための手段】
そのために本発明は、耳糸供給用ボビンを保持すると共に、回転中心軸線から互いに逆方向に離れるように設けられた一対の糸ガイド孔を有する耳糸供給用回転体と、前記耳糸供給用回転体の一対の糸ガイド孔から供給される耳糸がそれぞれ挿通される回転中心軸線から互いに逆方向に離れるように設けられた一対の糸ガイド孔を有する耳糸開口用回転体とをそれぞれ一方向にのみ同期回転させる耳形成装置を対象とし、請求項１の発明では、前記耳糸供給用回転体側の一対の糸ガイド孔のうちの一方から前記耳糸開口用回転体側の一対の糸ガイド孔のうちの一方に至る第１の糸経路と、前記耳糸供給用回転体側の一対の糸ガイド孔のうちの他方から前記耳糸開口用回転体側の一対の糸ガイド孔のうちの他方に至る第２の糸経路とを備えた耳形成装置を構成し、前記耳糸開口用回転体を貫通するように前記耳糸開口用回転体の回転中心軸線上に配置される支軸内に前記第１及び第２の糸経路を設けた。
【０００７】
耳糸開口用回転体を貫通するように前記耳糸開口用回転体の回転中心軸線上に前記第１及び第２の糸経路を設けた構成は、耳糸開口用回転体をその回転中心軸線上で支持可能とする。このような支持構成は耳形成装置の部品点数を減らす上で有効である。
【０００９】
請求項２の発明では、請求項１において、前記耳糸供給用回転体の回転中心軸線と前記耳糸開口用回転体の回転中心軸線とは平行とし、前記耳糸供給用回転体及び前記耳糸開口用回転体の一対の糸ガイド孔は前記耳糸供給用回転体及び前記耳糸開口用回転体の支軸を支持する側板を挟んで両側に配置され、前記耳糸供給用回転体と前記耳糸開口用回転体とは互いに逆方向に回転するようにした。
【００１０】
耳糸開口用回転体と耳糸供給用回転体とを互いに逆方向に回転する構成は、耳糸開口用回転体側の糸ガイド孔の周回領域と、耳糸供給用回転体側の糸ガイド孔の周回領域とを前記支軸を挟んで前記耳糸開口用回転体の回転中心軸線の方向の両側に振り分け可能となる。このような振り分けは、耳糸供給用ボビンの交換を容易にする。
【００１１】
請求項３の発明では、請求項２において、前記耳糸供給用回転体は歯車部を備えるとともに、前記耳糸供給用回転体の支軸の端部に止着されて前記歯車部と一体的に回転する耳糸供給用ガイド体を備え、前記耳糸開口用回転体は歯車部を備えるとともに、前記耳糸開口用回転体の支軸の端部に止着されて前記歯車部と一体的に回転する耳糸開口用ガイド体を備えており、前記耳糸供給用回転体の歯車部と前記耳糸開口用回転体の歯車部とは同形同大で互いに噛合するようにした。
【００１２】
耳糸供給用回転体及び耳糸開口用回転体の一方の回転力が両歯車部を介して他方に伝達され、両回転体が互いに逆方向に回転する。耳糸供給用回転体及び耳糸開口用回転体の一方の回転力を両歯車部を介して他方に伝達する構成は、機構の簡素化をもたらす。
【００１３】
【発明の実施の形態】
以下、本発明を具体化した第１の実施の形態を図１〜図６に基づいて説明する。
【００１４】
図１に示すように、織機のサイドフレーム（図示略）には駆動軸１１が回転可能に支持されており、駆動軸１１には駆動歯車１２が止着されている。駆動軸１１は、図示しない織機駆動モータから駆動力を得ている。駆動軸１１は図１に示す矢印Ｒ１の方向に回転する。
【００１５】
図３に示すように、前記サイドフレームには支持枠１３が止着されている。支持枠１３は、一対の側板１４，１５と、両側板１４，１５間に介在された複数の隔離ブロック１６と、両側板１４，１５及び隔離ブロック１６を貫通するボルト１７と、ボルト１７に螺着されたナット１８とからなる。両側板１４，１５はボルト１７とナット１８との締め付け作用によって隔離ブロック１６に圧接され、隔離ブロック１６は両側板１４，１５を互いに所定間隔に隔離する。
【００１６】
両側板１４，１５には筒状の支軸１９がラジアルベリング２０を介して回転可能に支持されており、両側板１４，１５間において支軸１９には耳糸開口用歯車２１が止着されている。両側板１４，１５には支軸２２がラジアルベリング２３を介して回転可能に支持されており、両側板１４，１５間において支軸２２には耳糸供給用歯車２４が止着されている。耳糸開口用歯車２１及び耳糸供給用歯車２４は同形同大である。図５に示すように、両歯車２１，２４は互いに噛合しており、耳糸開口用歯車２１は駆動歯車１２に噛合している。駆動軸１１の回転に伴い、耳糸開口用歯車２１は図２に示す矢印Ｒ２の方向に回転し、耳糸供給用歯車２４は図１に示す矢印Ｒ３の方向に回転する。
【００１７】
側板１５の内側方（図３において側板１５の左側）において支軸１９の端部には耳糸開口用ガイド体２５が止着されている。耳糸開口用ガイド体２５の両端部には糸ガイド孔２５１，２５２が形成されている。糸ガイド孔２５１，２５２は、耳糸開口用歯車２１の回転中心軸線Ｌ２から互いに逆方向へ等距離だけ離れた位置にある。耳糸開口用ガイド体２５は耳糸開口用歯車２１と一体的に回転する。耳糸開口用歯車２１、支軸１９及び耳糸開口用ガイド体２５は、耳糸開口用回転体を構成する。
【００１８】
図２に示すように、耳糸開口用ガイド体２５には抉り部２５３，２５４が形成されている。抉り部２５３，２５４の存在は回転中心軸線Ｌ２及び糸ガイド孔２５１，２５２を通る平面に関して耳糸開口用ガイド体２５を非対称形状にする。耳糸開口用ガイド体２５は、回転中心軸線Ｌ２を中心として１８０°の回転毎に一致する回転対称形状をしている。
【００１９】
側板１４の外側方（図３において側板１４の右側）において支軸２２の端部には耳糸供給用ガイド体２６が止着されている。耳糸供給用ガイド体２６の両端部には糸ガイド孔２６１，２６２が形成されている。糸ガイド孔２６１，２６２は、耳糸供給用歯車２４の回転中心軸線Ｌ３から互いに逆方向へ等距離だけ離れた位置にある。耳糸供給用ガイド体２６は耳糸供給用歯車２４と一体的に回転する。耳糸供給用歯車２４、支軸２２及び耳糸供給用ガイド体２６は、耳糸供給用回転体を構成する。
【００２０】
図１に示すように、耳糸供給用ガイド体２６には抉り部２６３，２６４が形成されている。抉り部２６３，２６４の存在は回転中心軸線Ｌ３及び糸ガイド孔２６１，２６２を通る平面に関して耳糸供給用ガイド体２６を非対称形状にする。耳糸供給用ガイド体２６は、回転中心軸線Ｌ３を中心として１８０°の回転毎に一致する回転対称形状をしている。
【００２１】
耳糸供給用ガイド体２６には一対の耳糸供給用のボビン２７，２８が装着されている。ボビン２７，２８から引き出される耳糸Ｔ１，Ｔ２は、張力付与器２９，３０の糸ガイド孔２９１，３０１に通されて張力を付与される。糸ガイド孔２９１を通された耳糸Ｔ１は、耳糸供給用ガイド体２６の裏側から表側へと糸ガイド孔２６１に通される。糸ガイド孔３０１に通された耳糸Ｔ２は、耳糸供給用ガイド体２６の裏側から表側へと糸ガイド孔２６２に通される。糸ガイド孔２９１，３０１から糸ガイド孔２６１，２６２に至る糸経路は最短経路である。
【００２２】
糸ガイド孔２６１，２６２に通された耳糸Ｔ１，Ｔ２は、側板１４の外側方に沿ってから支軸１９の筒内に通される。支軸１９の筒内は両耳糸Ｔ１，Ｔ２の共通経路１９１となる。共通経路１９１を通された耳糸Ｔ１は、側板１５の内側方に沿ってから耳糸開口用ガイド体２５の裏側から表側へと糸ガイド孔２５１に通される。共通経路１９１を通された耳糸Ｔ２は、側板１５の内側方に沿ってから耳糸開口用ガイド体２５の裏側から表側へと糸ガイド孔２５２に通される。共通経路１９１から糸ガイド孔２５１，２５２に至る糸経路は最短経路である。
【００２３】
図１に示すように、耳糸供給用ガイド体２６の糸ガイド孔２６１から耳糸開口用ガイド体２５側の糸ガイド孔２５１に至る耳糸Ｔ１の第１の糸経路は、糸ガイド孔２５１と織前Ｗ１との間の部分が耳糸開口用ガイド体２５の回転に伴って範囲Ｅ１にわたって変位する。耳糸供給用ガイド体２６側の糸ガイド孔２６２から耳糸開口用ガイド体２５側の糸ガイド孔２５２に至る耳糸Ｔ２の第２の糸経路は、糸ガイド孔２５１と織前Ｗ１との間の部分が耳糸開口用ガイド体２５の回転に伴って範囲Ｅ１にわたって変位する。即ち、糸ガイド孔２５１，２５２に通された耳糸Ｔ１，Ｔ２は、糸ガイド孔２５１，２５２と織布Ｗの織前Ｗ１との間で耳糸開口用歯車２１の回転に伴って開閉口運動を行なう。
【００２４】
図４に示すように、側板１４には経路差吸収用糸ガイド３１が立設されている。経路差吸収用糸ガイド３１は山型をしており、経路差吸収用糸ガイド３１の曲線部３１１は円弧である。経路差吸収用糸ガイド３１の側板１４から計った最上位位置は、耳糸供給用ガイド体２６の最上位位置（即ち、耳糸供給用ガイド体２６の糸ガイド孔２６１，２６２）よりも高い。図１に示すように、耳糸供給用ガイド体２６側の糸ガイド孔２６１から耳糸開口用ガイド体２５側の糸ガイド孔２５１に至る耳糸Ｔ１の第１の糸経路は、糸ガイド孔２６１と共通経路１９１との間の部分が耳糸供給用ガイド体２６の回転に伴って範囲Ｅ２にわたって変位する。耳糸供給用ガイド体２６側の糸ガイド孔２６２から耳糸開口用ガイド体２５側の糸ガイド孔２５２に至る耳糸Ｔ２の第２の糸経路は、糸ガイド孔２６２と共通経路１９１との間の部分が耳糸供給用ガイド体２６の回転に伴って範囲Ｅ２にわたって変位する。経路差吸収用糸ガイド３１は、支軸１９と耳糸供給用ガイド体２６との間で耳糸供給用ガイド体２６の回転に伴う耳糸Ｔ１，Ｔ２の糸経路の変位範囲Ｅ２にわたって配置されている。
【００２５】
図６（ａ），（ｅ）は最大開口状態を示し、図６（ｃ）は閉口状態を示す。図６（ｂ），（ｄ）は最大開口状態と閉口状態との中間状態を示す。
第１の実施の形態では以下の効果が得られる。
（１-1）前記第１の糸経路と第２の糸経路とは、耳糸開口用歯車２１、支軸１９及び耳糸開口用ガイド体２５からなる耳糸開口用回転体の回転中心軸線Ｌ２を貫通する共通経路１９１から分流して糸ガイド孔２５１，２５２に至る。従って、前記第１の糸経路及び第２の糸経路は、耳糸開口用ガイド体２５の回転に伴って耳糸開口用ガイド体２５の表側でのみ回転中心軸線Ｌ２と交錯し、前記第１の糸経路及び第２の糸経路が耳糸開口用ガイド体２５の裏側で回転中心軸線Ｌ２と交錯することはない。即ち、耳糸開口用回転体を貫通するように回転中心軸線Ｌ２上に共通経路１９１を設けた構成は、耳糸開口用回転体をその回転中心軸線Ｌ２上で支持可能とする。このような支持構成は耳形成装置の部品点数を減らす上で有効である。
（１-2）支軸１９は共通経路１９１の形成位置として最適である。
（１-3）前記第１の糸経路と第２の糸経路とは、耳糸供給用ガイド体２６側の糸ガイド孔２６１，２６２から共通経路１９１へと合流する。従って、前記第１の糸経路及び第２の糸経路は、耳糸供給用ガイド体２６の回転に伴って耳糸供給用ガイド体２６の表側でのみ回転中心軸線Ｌ３と交錯し、前記第１の糸経路及び第２の糸経路が耳糸供給用ガイド体２６の裏側で回転中心軸線Ｌ３と交錯することはない。即ち、耳糸開口用回転体を貫通するように回転中心軸線Ｌ２上に共通経路１９１を設けた構成は、耳糸供給用回転体をその回転中心軸線Ｌ３上で支持可能とする。このような支持構成は耳形成装置の部品点数を減らす上で有効である。
（１-4）共通経路１９１を備えた耳糸開口用回転体と耳糸供給用回転体とを互いに逆方向に回転させる場合には、耳糸開口用ガイド体２５と耳糸供給用ガイド体２６とを支持枠１３を挟んで両側に振り分ける必要がある。即ち、耳糸開口用回転体側の糸ガイド孔２５１，２５２の周回領域と、耳糸供給用回転体側の糸ガイド孔２６１，２６２の周回領域とは、共通経路１９１を挟んで耳糸開口用回転体側の回転中心軸線Ｌ２の方向の両側に振り分けられなければならない。これは共通経路１９１と耳糸供給用ガイド体２６との間での耳糸Ｔ１，Ｔ２の捩りをなくすためである。従って、耳糸開口用ガイド体２５は前記サイドフレームの内側を向き、耳糸供給用ガイド体２６は前記サイドフレームの外側を向く。このような振り分けは、耳糸供給用ガイド体２６に装着された耳糸供給用のボビン２７，２８の交換を容易にする。
（１-5）耳糸開口用回転体の回転力が歯車部となる耳糸開口用歯車２１及び歯車部となる耳糸供給用歯車２４を介して耳糸供給用回転体に伝達され、両回転体が互いに逆方向に回転する。耳糸開口用回転体の回転を直接耳糸供給用回転体に伝達する構成は、機構の簡素化をもたらし、耳形成装置の部品点数が少なくて済む。
（１-6）張力付与器２９，３０はボビン２７，２８から引き出される耳糸Ｔ１，Ｔ２の糸経路を最初に規制する始発ガイド体となる。張力付与器２９，３０の糸ガイド孔２９１，３０１は、ボビン２７，２８から引き出される耳糸Ｔ１，Ｔ２の糸経路を最初に規制する始発糸ガイド部となる。耳糸供給用ガイド体２６の表側に装着されたボビン２７，２８から引き出される耳糸Ｔ１，Ｔ２の経路は、耳糸供給用ガイド体２６の裏側から糸ガイド孔２６１，２６２を通って耳糸供給用ガイド体２６の表側に出る必要がある。抉り部２６３，２６４の存在は糸ガイド孔２９１，３０１から糸ガイド孔２６１，２６２に至る糸経路を最短にする。抉り部２６３，２６４がないとすると糸ガイド孔２９１，３０１から糸ガイド孔２６１，２６２に至る糸経路が最短経路にならず、経路変動が生じやすい。このような経路変動は張力変動をもたらし易い。糸ガイド孔２９１，３０１から糸ガイド孔２６１，２６２に至る糸経路を最短経路とする構成は経路変動防止の上で有効である。
（１-7）共通経路１９１から分流する耳糸Ｔ１，Ｔ２の経路は、耳糸開口用ガイド体２５の裏側から糸ガイド孔２５１，２５２を通って耳糸開口用ガイド体２５の表側に出る必要がある。抉り部２５３，２５４の存在は共通経路１９１から糸ガイド孔２５１，２５２に至る糸経路を最短にする。抉り部２５３，２５４がないとすると共通経路１９１から糸ガイド孔２５１，２５２に至る糸経路が最短経路にならず、経路変動が生じやすい。このような経路変動は張力変動をもたらし易い。共通経路１９１から糸ガイド孔２５１，２５２に至る糸経路を最短経路とする構成は経路変動防止の上で有効である。
（１-8）前記第１の糸経路及び第２の糸経路における大きな経路差は張力変動をもたらし易く、張力変動は良好な耳形成を阻害する。図１に示す耳糸Ｔ１，Ｔ２の最大開口角θを２７°、糸ガイド孔２５１，２５２，２６１，２６２の公転半径を７０mm、共通経路１９１から織前Ｗ１までの距離を３００mmとした場合、本実施の形態における糸経路の最大経路は６０５mm程度、最小経路は５８０mm程度となる。この経路差は、（６０５mm−５８０mm）／６０５mm≒４．１３％である。特開昭５６−５３２３４号公報の装置では、本実施の形態と同じ条件のもとでの糸経路の最大経路は４６４mm、最小経路は４３３mm程度となる。この経路差は、（４６４mm−４３３mm）／４６４mm≒６．８％である。このような経路差の違いは共通経路１９１の有無によるものであり、耳糸開口用回転体２５の回転中心軸線Ｌ２上の共通経路１９１は、各耳糸Ｔ１，Ｔ２の経路差を少なくすることに寄与する。
（１-9）耳糸Ｔ１，Ｔ２の閉口時には糸ガイド孔２６１，２６２と共通経路１９１との間の耳糸Ｔ１，Ｔ２が経路差吸収用糸ガイド３１の曲線部３１１の左右中央を通り、耳糸供給用ガイド体２６と耳糸Ｔ１，Ｔ２との接触が回避される。耳糸Ｔ１，Ｔ２の最大開口時には糸ガイド孔２６１，２６２と共通経路１９１との間の耳糸Ｔ１，Ｔ２が経路差吸収用糸ガイド３１の曲線部３１１の左右両端部を通るが、耳糸供給用ガイド体２６と耳糸Ｔ１，Ｔ２との接触が回避される。即ち、経路差吸収用糸ガイド３１は耳糸供給用ガイド体２６と耳糸Ｔ１，Ｔ２との接触を防止する。
【００２６】
図１の最大開口状態では糸ガイド孔２６１，２６２から織前Ｗ１に至る耳糸Ｔ１，Ｔ２の経路が最長であり、図２の閉口状態では糸ガイド孔２６１，２６２から織前Ｗ１に至る耳糸Ｔ１，Ｔ２の経路が最小となる。閉口状態における糸経路は、経路差吸収用糸ガイド３１の存在によって糸ガイド孔２６１，２６２と共通経路１９１との間での屈曲が最大開口状態のときよりも大きくなる。即ち、経路差吸収用糸ガイド３１は各耳糸Ｔ１，Ｔ２の経路差を少なくすることに寄与する。
【００２７】
次に、図７の第２の実施の形態を説明する。第１の実施の形態と同じ構成部には同じ符号が付してある。
この実施の形態では、支軸１９の側板１４側の端部が側板１４から計って耳糸供給用ガイド体２６の最上位位置よりも上にあり、耳糸供給用ガイド体２６と耳糸Ｔ１，Ｔ２との接触防止が図られている。
【００２８】
次に、図８の第３の実施の形態を説明する。第１の実施の形態と同じ構成部には同じ符号が付してある。
この実施の形態では、支軸１９の側板１４側の端部の導入口１９２が略楕円形状にしてある。最大開口時には導入口１９２の長軸方向が耳糸開口用ガイド体２５の支軸２２側を向くようにしてあり、最小開口時には導入口１９２の短軸方向が耳糸開口用ガイド体２５の支軸２２側を向くようにしてある。導入口１９２のこのような形状は各耳糸Ｔ１，Ｔ２の経路差を少なくすることに寄与する。
【００２９】
次に、図９及び図１０の第４の実施の形態を説明する。第１の実施の形態と同じ構成部には同じ符号が付してある。
この実施の形態では、駆動歯車１２が耳糸供給用歯車２４に噛合しており、耳糸開口用歯車２１は耳糸供給用歯車２４の前側に配置されている。このような配置構成は耳糸Ｔ１，Ｔ２の最大開口角θを大きくする上で有効である。最大開口角θの増大は緯糸の緯入れを行い易くする。
【００３０】
本発明では以下のような実施の形態も可能である。
（１）耳糸開口用歯車２１を支軸１９に対して相対回転可能とすると共に、耳糸供給用歯車２４を支軸２２に対して相対回転可能とすること。
（２）耳糸開口用歯車２１及び耳糸供給用歯車２４を傘歯車とし、耳糸開口用ガイド体２５の回転中心軸線Ｌ２と耳糸供給用ガイド体２６の回転中心軸線Ｌ３とが交差するようにすること。
（３）耳糸供給用回転体及び耳糸開口用回転体の一方の回転を無端状ベルトあるいは無端状チェーンを介して他方へ伝達すること。
（４）前記（３）項において、耳糸供給用回転体の回転中心軸線と耳糸開口用回転体の回転中心軸線とを平行とすると共に、両回転体を同一方向へ回転させ、耳糸供給用回転体の一対の糸ガイド孔及び耳糸開口用回転体の一対の糸ガイド孔を両回転体の同じ側面側に配置すること。
【００３１】
前記した実施の形態から把握できる請求項以外の発明について以下にその効果と共に記載する。
（１）請求項１乃至請求項３のいずれか１項において、前記耳糸供給用回転体側の一対の糸ガイド孔を有する耳糸供給用ガイド体を備えた前記耳糸供給用回転体を構成し、前記耳糸供給用ガイド体は前記耳糸供給用回転体の回転中心軸線に関して回転対称形状とし、前記耳糸供給用ガイド体は前記耳糸供給用回転体の回転中心軸線及び前記耳糸供給用回転体側の一対の糸ガイド孔を通る平面に関して非対称形状とし、前記耳糸供給用ガイド体上に始発ガイド体を設けると共に、始発ガイド体に始発糸ガイド部を設け、前記始発糸ガイド部から前記耳糸供給用回転体側の一対の糸ガイド孔までの各糸経路を最短経路とした織機における耳形成装置。
【００３２】
このような耳糸供給用ガイド体の形状は、糸ガイド孔への糸通しを容易にする。
（２）請求項１乃至請求項３のいずれか１項において、前記耳糸開口用回転体側の一対の糸ガイド孔を有する耳糸開口用ガイド体を備えた前記耳糸開口用回転体を構成し、前記耳糸開口用ガイド体は前記耳糸供給用回転体の回転中心軸線に関して回転対称形状とし、前記耳糸開口用糸ガイド体は前記耳糸供給用回転体の回転中心軸線及び前記耳糸開口用回転体側の一対の糸ガイド孔を通る平面に関して非対称形状とし、前記共通経路から前記一対の糸ガイド孔までの各糸経路を最短経路とした織機における耳形成装置。
【００３３】
このような耳糸開口用ガイド体の形状は、糸ガイド孔への糸通しを容易にする。
（３）前記（１）項において、前記耳糸供給用ガイド体と前記共通経路との間で糸経路の変位範囲にわたって経路差吸収用の経路差吸収用糸ガイドを配置した織機における耳形成装置。
【００３４】
耳糸開口用回転体の回転中心軸線上の共通経路は、各耳糸の経路差を少なくすることに寄与するが、経路差吸収用糸ガイドも各耳糸の経路差を少なくすることに寄与する
【００３５】
【発明の効果】
以上詳述したように本発明では、耳糸開口用回転体を貫通するように前記耳糸開口用回転体の回転中心軸線上に配置される支軸内に第１及び第２の糸経路を設けたので、耳糸供給用回転体及び耳糸開口用回転体を一方向にのみ同期回転させる耳形成装置における部品点数を減らし得るという優れた効果を奏する。
【図面の簡単な説明】
【図１】第１の実施の形態を示す一部破断外側面図。
【図２】閉口状態を示す一部破断内側面図。
【図３】閉口状態を示す背面図。
【図４】最大開口状態を示す底面図。
【図５】一部省略斜視図。
【図６】（ａ）は最大開口状態を示す略体側面図。（ｂ）は最大開口状態と閉口状態との中間状態を示す略体側面図。（ｃ）は閉口状態を示す略体側面図。（ｄ）は最大開口状態と閉口状態との中間状態を示す略体側面図。（ｅ）は最大開口状態を示す略体側面図。
【図７】第２の実施の形態を示す背面図。
【図８】第３の実施の形態を示す外側面図。
【図９】第４の実施の形態を示す外側面図。
【図１０】内側面図。
【符号の説明】
１９…耳糸開口用回転体を構成する支軸、１９１…共通経路、２１…耳糸開口用回転体側の歯車部となる耳糸開口用歯車、２２…耳糸供給用回転体を構成する支軸、２４…耳糸供給用回転体側の歯車部となる耳糸供給用歯車、２５…耳糸開口用回転体を構成する耳糸開口用ガイド体、２５１，２５２…耳糸開口用回転体側の糸ガイド孔、２６…耳糸供給用回転体を構成する耳糸供給用ガイド体、２６１，２６２…耳糸供給用回転体側の糸ガイド孔、２７，２８…ボビン、２９，３０…始発ガイド体となる張力付与器、２９１，３０１…始発糸ガイド部となる糸ガイド孔、３１…経路差吸収用糸ガイド、Ｔ１，Ｔ２…耳糸、Ｌ２，Ｌ３…回転中心軸線。
【図１】
0003994559.tif 000002
【図２】
0003994559.tif 000003
【図３】
0003994559.tif 000004
【図４】
0003994559.tif 000005
【図５】
0003994559.tif 000006
【図６】
0003994559.tif 000007
【図７】
0003994559.tif 000008
【図８】
0003994559.tif 000009
【図９】
0003994559.tif 000010
【図１０】
0003994559.tif 000011